(57)【要約】【課題】  形状の簡略化と、自動マウントへの対応をより確実なものとする導通ターミナルを提供すること。【解決手段】  平板部と、上記平板部から一方向に屈曲・延長されプリント基板に溶着・固定される取付用端子と、上記平板部から他方向に屈曲・形成されるコネクタ端子と、上記平板部に設けられた貫通孔と、上記平板部に設けられた自動マウント用吸着部と、を具備した構成になっているので、自動マウントのための吸着部が確保されているので、自動マウントに対して効果的に対応することができる。【選択図】  図１
2006237022.tif 000002
【特許請求の範囲】
【請求項１】
平板部と、
上記平板部から一方向に屈曲・延長されプリント基板に溶着・固定される取付用端子と、
上記平板部から他方向に屈曲・形成されるコネクタ端子と、
上記平板部に設けられた貫通孔と、
上記平板部に設けられた自動マウント用吸着部と、
を具備したことを特徴とする導通ターミナル。
【請求項２】
請求項１記載の導通ターミナルにおいて、
上記コネクタ端子は一対の屈曲片から構成されていて、上記一対の屈曲片は上記平板部から突出・形成されていて一方向に向かって且つ相互に近接する方向に屈曲されていて、その先端部は相互に離間する方向に屈曲されていることを特徴とする導通ターミナル。
【請求項３】
請求項１記載の導通ターミナルにおいて、
上記平板部から他方向に屈曲・形成され上記コネクタ端子を保護するコネクタ端子保護部が設けられていることを特徴とする導通ターミナル。
【発明の詳細な説明】
【技術分野】
【０００１】
本発明は、導通ターミナルに係り、特に、コネクタ端子を構成する部位の形状の簡略化を図ると共に自動マウントへの対応を容易にすることができるように工夫したものに関する。
【背景技術】
【０００２】
従来の導通ターミナル１０１は、例えば、図７に示すような形状になっている。上記導通ターミナル１０１は平板部１０３を備えており、この平板部１０３の四隅には、図示しないプリント基板に取り付けるための取付用端子１０５が、図７中下方向に屈曲・延長されている。これら４本の差込脚部１０５を上記プリント基板に設けられた差込穴に差し込んで半田付けされるものである。
【０００３】
上記平板部１０３の中央部には長円形状の貫通孔１０７が形成されている。又、上記貫通孔１０７の下方にはコネクタ端子１０８が設けられている。このコネクタ端子１０８は、上記貫通孔１０７の両側より図７中下方向に向かって屈曲・形成された一対の屈曲片１０９、１１１から構成されている。これら一対の屈曲片１０９、１１１は、図７中下方であって内側に向かって略リング状に屈曲・形成されている。そして、屈曲片１０９、１１１の間には、コネクタピン１１５が差し込まれるコネクタピン差込部１１７が形成されているものである。上記コネクタピン１１５は上記コネクタピン差込部１１７に差し込まれ、上記貫通孔１０７を介して、図７中上方に突出されることになる。
尚、コネクタピン１１５が図７中上方から差し込まれることもある。
【０００４】
尚、本願発明に直接的に関係するものではないが、この種の導通ターミナルを開示するものとして、例えば、特許文献１がある。
【０００５】
【特許文献１】特開２０００−１６５０２５号公報
【発明の開示】
【発明が解決しようとする課題】
【０００６】
上記従来の構成によると次のような問題があった。
まず、導通ターミナル１０１の形状としては決して簡単なものではなかった。特に、コネクタ端子１０８を構成する一対の屈曲片１０９、１１１の形状は複雑であり、単純なプレス加工によっては得られるものではなかった。
又、この種の導通ターミナル１０１をプリント基板に実装する場合には、自動マウントによって実装されることになる。すなわち、図示しない吸引具によって導通ターミナル１０１を吸着・保持してプリント基板上の所定位置に設置し、その状態で半田付けすることになる。図７に示した従来の導通ターミナル１０１の場合には、平板部１０３の一部が吸着具によって吸着される部位になるが、吸着スペースが狭隘なために確実な吸着が行なわれないことがあり、自動マウントが阻害されてしまうことがあった。
【０００７】
本発明はこのような点に基づいてなされたものでその目的とするところは、コネクタ端子を構成する部位の形状の簡略化と、自動マウントへの対応をより容易なものとする導通ターミナルを提供することにある。
【課題を解決するための手段】
【０００８】
上記目的を達成するべく本願発明の請求項１による導通ターミナルは、平板部と、上記平板部から一方向に屈曲・延長されプリント基板に溶着・固定される取付用端子と、上記平板部から他方向に屈曲・形成されるコネクタ端子と、上記平板部に設けられた貫通孔と、上記平板部に設けられた自動マウント用吸着部と、を具備したことを特徴とするものである。
又、請求項２による導通ターミナルは、請求項１記載の導通ターミナルにおいて、上記コネクタ端子は一対の屈曲片から構成されていて、上記一対の屈曲片は上記平板部から突出・形成されていて一方向に向かって且つ相互に近接する方向に屈曲されていて、その先端部は相互に離間する方向に屈曲されていることを特徴とするものである。
又、請求項３による導通ターミナルは、請求項１記載の導通ターミナルにおいて、上記平板部から他方向に屈曲・形成され上記コネクタ端子を保護するコネクタ端子保護部が設けられていることを特徴とするものである。
【発明の効果】
【０００９】
以上述べたように本願発明による導通ターミナルは、平板部と、上記平板部から一方向に屈曲・延長されプリント基板に溶着・固定される取付用端子と、上記平板部から他方向に屈曲・形成されるコネクタ端子と、上記平板部に設けられた貫通孔と、上記平板部に設けられた自動マウント用吸着部と、を具備した構成になっているので、自動マウントのための吸着部が確保されているので、自動マウントに対して効果的に対応することができる。
又、コネクタ端子を一対の屈曲片から構成して、上記一対の屈曲片を上記平板部から突出・形成されていて一方向に向かって且つ相互に近接する方向に屈曲されていて、その先端部は相互に離間する方向に屈曲されている構成にした場合には、比較的単純な形状であるので、プレス加工によって容易に製造することができる。
又、平板部から他方向に屈曲・形成され上記コネクタ端子を保護するコネクタ端子保護部を設けた場合には、コネクタ端子を保護して安定した導通状態を維持することができる。
【発明を実施するための最良の形態】
【００１０】
以下、図１乃至図６を参照して本発明の一実施の形態を説明する。図１は本実施の形態による導通ターミナル１とコネクタピン２の構成を示す斜視図である。上記導通ターミナル１は平板部３備えていて、この平板部３からは３箇所において取付用端子５、５、５が、図１中下方に向かって屈曲・延長されている。導通ターミナル１はこれら３本の取付用端子５を介してプリント基板７（図５、図６に示す）に取り付けられるものである。
【００１１】
上記平板部３の図１中右側に寄った箇所には貫通孔９が形成されている。上記貫通孔９を挟んで両側位置の平板部３には、コネクタ端子１１を構成する一対の屈曲片１３、１３が、図１中上方に向かって屈曲・形成されている。既に述べたコネクタピン２は、上記貫通孔９を介してこのコネクタ端子１１を構成する一対の屈曲片１３、１３の間の隙間１４に差し込まれることになる。
【００１２】
上記一対の屈曲片１３、１３であるが、まず、図１中上方であって相互に近接する方向に屈曲・形成されている。そして、夫々の屈曲片１３、１３の先端部１３ａ、１３ａは円弧状に相互に離間する方向に屈曲・形成されている。
【００１３】
又、上記コネクタ端子１１を構成する一対の屈曲片１３、１３の外側には、一対の保護片１５、１５が屈曲・形成されている。これら保護片１５、１５によって上記コネクタ端子１１を構成する一対の屈曲片１３、１３を保護するように構成されている。
【００１４】
上記一対の保護片１５、１５は中央部を切り欠いたフレーム状に形成されている。又、上記一対の保護片１５、１５は、平板部３から外側に向かって所定量だけ延長され、次いで、図１中上方に向かって屈曲・形成されている。次いで、内側であって斜め上方に向かって屈曲・形成されていて、さらに、上方に向かって所定量だけ延長されているものである。  
【００１５】
上記平板部３の図１中左側に寄った箇所には自動マウント用吸着部１７が設けられている。この自動マウント用吸着部１７を介して図示しない吸着器によって導通ターミナル１を吸着・保持し、プリント基板７の所定位置に設置するものである。
【００１６】
以上の構成を基にその作用を説明する。
まず、導通ターミナル１をプリント基板７に実装した状態を図５に示す。導通ターミナル１の３本の取付用端子５を、プリント基板７の貫通孔２１に差し込んで半田付けするものである。
又、図６に示すように、コネクタピン２をプリント基板７に形成された貫通孔２３を介して下方から差し込む。そして、導通ターミナル１の貫通孔９を介してコネクタ端子１１に差し込む。それによって、電気的に導通状態になる。
尚、コネクタピン２を上方から差し込むこともある。
【００１７】
以上本実施の形態によると次のような効果を奏することができる。
まず、コネクタ端子１１を構成する一対の屈曲片１３、１３の形状が従来に比べて比較的単純な形状になっているので、プレス加工によって比較的簡単に形成することができる。よって、製造コストの低減を図ることができる。  
又、自動マウント用吸着部１７が設けられていて十分な吸着面が確保されているので、自動マウントへの適用が容易になると共に確実なものとなる。
又、保護片１５、１５が設けられているので、コネクタ端子１１を構成する屈曲片１３、１３を保護することができ、それによって、安定した導通状態の維持が可能になる。
【００１８】
尚、本発明は前記一実施の形態に限定されるものではない。
まず、導通ターミナルの形状としては、図示したものはあくまで一例であり、それに限定されるものではない。
又、取付用端子の個数や配置は様々なものが想定される。
又、コネクタ端子の形状や配置についても同様である。
【産業上の利用可能性】
【００１９】
本発明は、導通ターミナルに係り、特に、形状の簡略化、自動マウントへの対応を可能にするように工夫したものに関し、例えば、プリント基板に実装される様々な導通ターミナルに好適である。
【図面の簡単な説明】
【００２０】
【図１】本発明の一実施の形態を示す図で、導通ターミナルとコネクタピンの構成と関係を示す斜視図である。
【図２】本発明の一実施の形態を示す図で、導通ターミナルの構成を示す平面図である。
【図３】本発明の一実施の形態を示す図で、図２のＩＩＩ−ＩＩＩ矢視図である。
【図４】本発明の一実施の形態を示す図で、図２のＩＶ−ＩＶ矢視図である。
【図５】本発明の一実施の形態を示す図で、導通ターミナルをプリント基板に実装した状態を示す側断面図である。
【図６】本発明の一実施の形態を示す図で、導通ターミナルをプリント基板に実装すると共にコネクタピンを差し込んだ状態を示す側断面図である。
【図７】従来例を示す図で、導通ターミナルとコネクタピンの構成と関係を示す斜視図である。
【符号の説明】
【００２１】
１  導通ターミナル
２  コネクタピン
３  平板部
５  取付用端子
７  プリント基板
９  貫通孔
１１  コネクタ端子
１３  屈曲片
１５  保護片
１７  自動マウント用吸着部
【図１】
2006237022.tif 000003
【図２】
2006237022.tif 000004
【図３】
2006237022.tif 000005
【図４】
2006237022.tif 000006
【図５】
2006237022.tif 000007
【図６】
2006237022.tif 000008
【図７】
2006237022.tif 000009